(57)【要約】【課題】外レールが、スライド移動の全行程おいて安定的で安全に内レールをサポートするスライドレールのサポート構造を提供する。【解決手段】スライドレールは内レール１と外レール２とを備え、内レール１は外レール２内においてスライド移動し、内レール１にはローリングボール軸部品４を設置し、ローリングボール軸部品４は上ボール槽４１、下ボール槽４２、及びローリングボール４３を備え、上ボール槽４１及び下ボール槽４２はみな循環ボール槽であって、しかも上ボール槽４１及び下ボール槽４２は共に開放部分４１１、４２１を具え外レール２に対応し、上ボール槽４１及び下ボール槽４２内にはローリングボール４３を収容し、ローリングボール４３は上ボール槽４１及び下ボール槽４２の開放部分４１１、４２１において周囲を巡り転がり、外レール２に対応する。【選択図】図１
0003123823.tif 000002
【実用新案登録請求の範囲】
【請求項１】
スライドレールは内レールと外レールとを備え、該内レールは該外レール内においてスライド移動し、該内レールにはローリングボール軸部品を設置し、
該ローリングボール軸部品は上ボール槽、下ボール槽、及びローリングボールを備え、該上ボール槽及び該下ボール槽はみな循環ボール槽であって、該上ボール槽及び該下ボール槽は共に開放部分を具え該外レールに対応し、該上ボール槽及び該下ボール槽内には該ローリングボールを収容し、該ローリングボールは該上ボール槽及び該下ボール槽の開放部分において周囲を巡り転がり、該サポート外レールに対応することを特徴とするスライドレールのサポート構造。
【請求項２】
前記ローリングボール軸部品は、該内レールの末端に近い位置に設置することを特徴とする請求項１に記載のスライドレールのサポート構造。
【請求項３】
前記上ボール槽及び該下ボール槽の開放部分は、該内レール末端位置の一段レール体そのものが具えるボール溝であって、該内レールボール溝の両端には該上ボール槽及び該下ボール槽出口に対応する欠口を設置することを特徴とする請求項１に記載のスライドレールのサポート構造。
【請求項４】
スライドレールは内レールと外レールとを備え、該内レールは該外レール内においてスライド移動し、該内レール末端にはローリングボール軸部品を連接し、
該ローリングボール軸部品は上ボール槽、下ボール槽、ローリングボール、及び連接部を備え、該上ボール槽及び該下ボール槽はみな循環ボール槽であって、該上ボール槽及び該下ボール槽は共に開放部分を具え該外レールに対応し、該上ボール槽及び該下ボール槽内には該ローリングボールを収容し、該ローリングボールは該上ボール槽及び該下ボール槽の開放部分において周囲を巡り転がり該サポート外レールに対応することを特徴とするスライドレールのサポート構造。
【請求項５】
スライドレールは内レール、中レール、及び外レールを備え、該内レールは該中レール内においてスライド移動し、該中レールは該外レール内においてスライド移動し、該内レールにはローリングボール軸部品を設置し、
該ローリングボール軸部品は該上ボール槽、該下ボール槽、及び該ローリングボールを備え、該上ボール槽及び該下ボール槽はみな循環ボール槽であって、該上ボール槽及び該下ボール槽は共に開放部分を具え該中レールに対応し、該上ボール槽及び該下ボール槽内には該ローリングボールを収容し、該ローリングボールは該上ボール槽、該下ボール槽の開放部分において周囲を巡り転がりサポート中レールに対応することを特徴とするスライドレールのサポート構造。
【請求項６】
前記中レール末端にはサポート台を設置し、該サポート台は該外レール内に延伸し、接触定位することを特徴とする請求項５に記載のスライドレールのサポート構造。
【考案の詳細な説明】
【技術分野】
【０００１】
本考案はスライドレールのサポート構造に関する。特に折畳み式コード整理フレームを結合するスライドレールに適用し、内レールにはローリングボール軸部品を設置し、該外レールに対応し、スライド移動時、全行程にわたり該内レールの末端位置をサポート可能なスライドレールのサポート構造に係る。
【背景技術】
【０００２】
一般にスライドレールの設計、特に折畳み式コード整理フレームを結合するスライドレールにおいては内レールは外レールに対応し、ローリングボールを利用しスライド移動を行う時、その内レール末端位置と外レールとの間にはしばしばローリングボールが到達不能であるためサポートを提供できないという状況が発生する。特に該内レールが完全に該外レールに収納される時、該内レールの末端位置は一種のオーバーハング状態に置かれるが、該内レールのオーバーハング末端位置は非常に容易に折れ曲り、これによりコード整理フレームの前側サポートフレームが内レール末端に連結する時には、該内レールの連結位置は極めて容易にサポート力不足の問題が生じ、コード整理フレームが大きく垂れ下がる状態を招いてしまう。
【０００３】
上記公知技術のサポート不足の状況は、図１０に示すように、内レールＡが外レールＢに完全に収納される時、該内レールＡ末端位置と該外レールＢとの間にはサポートを提供するローリングボールＣが存在しないため、該ローリングボールＣがサポートしない該内レールＡの末端位置はオーバーハングレール体Ａ１となってしまう。この種のスライドレールにおいてはコード整理フレームＤを設置する時、該コード整理フレームＤの前側サポートフレームは該オーバーハングレール体Ａ１に連接し、この状態下で、収納後のコード整理フレームＤは該内レールＡに相対し一種の「オーバーハング」状態を呈する。よってそのコード整理フレームＤとコード（図示なし）との重力は該内レールＡのオーバーハングレール体Ａ１を引っ張ってしまい、該オーバーハングレール体Ａ１のねじれを招く。これにより該コード整理フレームＤと該内レールＡとが連接する支点位置は安定的なサポート効果が欠乏し、該コード整理フレームＤは垂れ下がり傾斜する。このような状況が該種の上、下層に設置するコード整理フレームＤとスライドレールとに発生する時、一旦上方のコード整理フレームＤが垂れ下がると、下方のコード整理フレームＤ或いはスライドレールが結合する引き出し類に干渉し、その正常な押し引き時の使用に影響を及ぼす。
【考案の開示】
【考案が解決しようとする課題】
【０００４】
本考案は上記構造の問題点を解決したスライドレールのサポート構造を提供するものである。
【課題を解決するための手段】
【０００５】
上記課題を解決するため、本考案は下記のスライドレールのサポート構造を提供する。
それは主にスライドレールのサポート構造を提供し、該構造は折畳み式コード整理フレームを結合するスライドレールに適用し、係令内レールは外レールのスライド移動に相対し全行程におけるサポートが可能で、公知のスライドレールのサポート構造において完全収納時にサポート力が不足するという問題を解決することができ、またそのスライドレールは内レールと外レールとを備え、該内レールは該外レール内においてスライド移動し、該内レールにはローリングボール軸部品を設置し、該ローリングボール軸部品は上ボール槽、下ボール槽、及びローリングボールを備え、或いは該内レールは直接上ボール槽、下ボール槽、及びローリングボールを設置し、その内、該上ボール槽及び該下ボール槽はみな循環ボール槽で、しかも該上ボール槽及び該下ボール槽は共に開放部分を具え該外レールに対応し、該上ボール槽及び該下ボール槽内には該ローリングボールを収容し、該ローリングボールは該上ボール槽及び該下ボール槽の開放部分において該サポート外レールに対応し、さらに該ローリングボール軸部品は該内レールの末端に近い位置に設置され、或いは該内レールは末端に近い位置において該上ボール槽、該下ボール槽、及び該ローリングボールを設置することを特徴とするスライドレールのサポート構造である。
（考案の効果）
上記のように、本考案は公知技術に比較し、内レールが外レールに完全に収納或いは移動する時にも、外レールにおいてサポートを提供可能で、サポートの安定性と安全を増強することができる。
【考案を実施するための最良の形態】
【０００６】
図１から図３に示すように、本考案の第一実施例の構造は内レール１と外レール２を備える二段式スライドレールで、該内レール１は内ローリングボール３１と内ローリングボールキャリア部品３により該外レール２内においてスライド移動を行う。
該内レール１の末端に近い位置にはローリングボール軸部品４を設置し、該ローリングボール軸部品４は幅が広く平たい物体で、上ボール槽４１、下ボール槽４２、及びローリングボール４３を備える。該上ボール槽４１及び該下ボール槽４２は共に循環式ルートを具えた循環ボール槽で、しかも該上ボール槽４１及び該下ボール槽４２は共に開放部分４１１、４２１を具え該外レール２に対応する。
【０００７】
第一実施例中では、該開放部分４１１、４２１は内レール１末端位置において一段のレール体そのものが具えるボール溝で、該内レール１のボール溝の両端には該上ボール槽４１及び該下ボール槽４２の出口に対応する欠口１１、１２を設置する。該上ボール槽４１及び該下ボール槽４２内には環状分布を呈する該ローリングボール４３を収容し、しかも該ローリングボール４３は該上ボール槽４１及び該下ボール槽４２の開放部分４１１、４２１において周囲を巡り転がり該サポート外レールに対応する。また、該ローリングボール軸部品４は固定部品４４により該内レール１において固定される。
【０００８】
次に図４及び図５に示すように、本考案の第一実施例の内レール１は該上ボール槽４１および該下ボール槽４２内のローリングボール４３により該外レール２においてサポートされる。該内レール１の末端にコード整理フレーム５を接続する時、スライドレールが完全に収納されても、或いは移動する時でも、該外レール２においてサポートされ、該コード整理フレーム５を垂れ下がりにくくすることができる。
【０００９】
さらに図６及び図７に示すように、本考案の第二実施例の構造は内レール１Ａと外レール２Ａを備える二段式スライドレールで、該内レール１Ａは内ローリングボール３１Ａと内ローリングボールキャリア部品３Ａにより該外レール２Ａ内においてスライド移動する。
該内レール１Ａは末端にローリングボール軸部品４Ａを連接し、該ローリングボール軸部品４Ａは上ボール槽４１Ａ、下ボール槽４２Ａ、ローリングボール４３Ａ、及び連接部４５Ａを備える。該上ボール槽４１Ａ、該下ボール槽４２Ａは共に循環式ルートを具えた循環ボール槽で、しかも該上ボール槽４１Ａ及び該下ボール槽４２Ａは共に開放部分４１１Ａ、４２１Ａを具え、該外レール２Ａに対応し、該上ボール槽４１Ａ、該下ボール槽４２Ａ内において環状分布を呈する該ローリングボール４３Ａを収容し、しかも該ローリングボール４３Ａは該上ボール槽４１Ａ及び該下ボール槽４２Ａの開放部分４１１Ａ、４２１Ａにおいて周囲を巡り転がり、該サポート外レール２Ａに対応する。また、該ローリングボール軸部品４Ａの連接部４５Ａは固定部品４４Ａにより該内レール１Ａ末端において固定される。
【００１０】
上記第一実施例と第二実施例とは共に内レールと外レールとを備える二段式スライドレールであるが、本考案は内レール、中レール、及び外レールを備える三段式スライドレールにも運用可能である。
続いて図８に示すように本考案の第三実施例では内レール１Ｂは内ローリングボール３１Ｂと内ローリングボールキャリア部品３Ｂとにより中レール６Ｂ内においてスライド移動を行う。該中レール６Ｂは外ローリングボール７１Ｂと外ローリングボールキャリア部品７Ｂにより該外レール２Ｂ内においてスライド移動する。
【００１１】
該内レール１Ｂにはローリングボール軸部品４Ｂを設置し、該ローリングボール軸部品４Ｂは上ボール槽４１Ｂ、下ボール槽４２Ｂ、及びローリングボール４３Ｂを備え、該上ボール槽４１Ｂ及び該下ボール槽４２Ｂは共に循環式ルートを具えた循環ボール槽で、しかも該上ボール槽４１Ｂ及び該下ボール槽４２Ｂは共に開放部分４１１Ｂ、４２１Ｂを具え、該中レール６Ｂに対応する。該上ボール槽４１Ｂ及び該下ボール槽４２Ｂ内には環状分布を呈する該ローリングボール４３Ｂを収容し、しかも該ローリングボール４３Ｂは該上ボール槽４１Ｂ及び該下ボール槽４２Ｂの開放部分４１１Ｂ、４２１Ｂにおいて周囲を巡り転がり、該中レール６Ｂに対応する。
さらに図９に示すように本考案の第四実施例では、中レール６Ｃの末端にはサポート台８Ｃを設置可能で、これにより中レール６Ｃは該サポート台８Ｃにより外レール２Ｃ内に延伸し接触固定することができる。
【図面の簡単な説明】
【００１２】
【図１】本考案の第一実施例によるスライドレールの斜視図である。
【図２】本考案の第一実施例によるスライドレールの主要構造の分解斜視図である。
【図３】本考案の第一実施例によるスライドレールの組合せ状態を示す断面図である。
【図４】本考案の第一実施例によるスライドレールのコード整理フレームを連接するスライドレールの収納状態を示す斜視図である。
【図５】本考案の第一実施例によるスライドレールのコード整理フレームを連接するスライドレールの局部引き伸ばし状態を示す斜視図である。
【図６】本考案の第二実施例によるスライドレールの主要構造の分解斜視図である。
【図７】本考案の第二実施例によるスライドレールの組合せ状態を示す斜視図である。
【図８】本考案の第三実施例によるスライドレールの斜視図である。
【図９】本考案の第四実施例によるスライドレールの主要構造の斜視図である。
【図１０】公知技術によるスライドレールの斜視図である。
【符号の説明】
【００１３】
１  内レール、１１  欠口、１２  欠口、２  外レール、３  内ローリングボールキャリア部品、３１  内ローリングボール、４  ローリングボール軸部品、４１  上ボール槽、４１１  開放部分、４２  下ボール槽、４２１  開放部分、４３  ローリングボール、４４  固定部品、５  コード整理フレーム、１Ａ  内レール、２Ａ  外レール、３Ａ  内ローリングボールキャリア部品、３１Ａ  内ローリングボール、４Ａ  ローリングボール軸部品、４１Ａ  上ボール槽、４１１Ａ  開放部分、４２Ａ  下ボール槽、４３Ａ  ローリングボール、４２１Ａ  開放部分、４４Ａ  固定部品、４５Ａ  連接部、１Ｂ    内レール、２Ｂ  外レール、３Ｂ  内ローリングボールキャリア部品、３１Ｂ  内ローリングボール、４Ｂ  ローリングボール軸部品、４１Ｂ  上ボール槽、４１１Ｂ  開放部分、４２Ｂ  下ボール槽、４３Ｂ  ローリングボール、４２１Ｂ  開放部分、６Ｂ  中レール、７Ｂ  外ローリングボールキャリア部品、７１Ｂ  外ローリングボール、２Ｃ  外レール
６Ｃ  中レール、８Ｃ  サポート台
【図１】
0003123823.tif 000003
【図２】
0003123823.tif 000004
【図３】
0003123823.tif 000005
【図４】
0003123823.tif 000006
【図５】
0003123823.tif 000007
【図６】
0003123823.tif 000008
【図７】
0003123823.tif 000009
【図８】
0003123823.tif 000010
【図９】
0003123823.tif 000011
【図１０】
0003123823.tif 000012